(57)【要約】【課題】乗用型田植機等の移植機の機体側部に装着した予備苗載せ台に、苗箱や苗スクレーパを用いることなく直接予備苗を載置して、この予備苗の形態を崩すことなく当該予備苗載せ台上をスムーズに移動できるようにする。【解決手段】予備苗載せ台５の予備苗載置面Ｓに、所定の左右間隔を有して走行機体４の前後方向に連続するリブＬを形成することにより、予備苗載せ台５に対する予備苗Ｎの床土部分の摺接面積を大幅に減少させて、両者５，Ｎの摺接抵抗（滑り抵抗）を軽減できるように構成した。【選択図】図３
2008136441.tif 000002
【特許請求の範囲】
【請求項１】
走行機体（４）の後部に植付作業機（１８）を昇降自在に連結すると共に、走行機体（４）の側部に走行機体（４）の前方から後部に亘って延設され、畦際から予備苗（Ｎ）を補給できる予備苗載せ台（５）を備えた移植機において、前記予備苗載せ台（５）の予備苗載置面（Ｓ）に、所定の左右間隔を有して前後方向に連続するリブ（Ｌ）を形成したことを特徴とする移植機。
【請求項２】
走行機体（４）の後部に植付作業機（１８）を昇降自在に連結すると共に、走行機体（４）の側部に走行機体（４）の前方から後部に亘って延設され、畦際から予備苗（Ｎ）を補給できる予備苗載せ台（５）を備えた移植機において、前記予備苗載せ台（５）底部の予備苗受け部（Ｕ）を、所定の左右間隔を有して前後方向に連続する線材またはパイプ材（Ｐ）で形成したことを特徴とする移植機。
【発明の詳細な説明】
【技術分野】
【０００１】
本発明は、走行機体の側部に、畦際から予備苗を連続的に補給することができる予備苗載せ台を備えた乗用型田植機等の移植機に関する。
【背景技術】
【０００２】
従来、乗用型田植機等の移植機においては、畦際から予備苗（マット苗）を連続的に補給する際の作業性を向上させるべく、折畳み式の予備苗載せ台を機体の側部に配設したものが知られている（例えば、特許文献１参照）。
【特許文献１】特開２００６−１０９７７３号公報（第３−６頁、図１−図３）
【発明の開示】
【発明が解決しようとする課題】
【０００３】
ところが、特許文献１の折畳み式の予備苗載せ台は、予備苗が育苗されている方形状の苗箱や、この苗箱に育苗されている予備苗を苗スクレーパで掬い取った状態のものを、予備苗載せ台の左右の外枠に軸支した複数の転動ローラ上を移動させながら、植付作業機の苗載せ台に順次予備苗を補給しようとするものであり、前記苗載せ台に苗を補給した後に空になった苗箱または苗スクレーパを溜め置きする収納部や、該収納部を畦際へ移送するための移送手段を設けなければならず、それらの設置スペースを必要とすると共にコスト高となっていた。
また、上述した苗箱や苗スクレーパを用いることなく直接予備苗を転動ローラ上に載置すると、予備苗の床土部分の前後端が転動ローラの間に落ち込んでしまい、当該予備苗の形態が崩れて転動ローラ上を移動させることが困難になることから、更なる改善が望まれていた。
【課題を解決するための手段】
【０００４】
本発明は、上記課題を解決することを目的としたものであって、走行機体の後部に植付作業機を昇降自在に連結すると共に、走行機体の側部に走行機体の前方から後部に亘って延設され、畦際から予備苗を補給できる予備苗載せ台を備えた移植機において、前記予備苗載せ台の予備苗載置面に、所定の左右間隔を有して前後方向に連続するリブを形成したことを第１の特徴としている。
また、走行機体の後部に植付作業機を昇降自在に連結すると共に、走行機体の側部に走行機体の前方から後部に亘って延設され、畦際から予備苗を補給できる予備苗載せ台を備えた移植機において、前記予備苗載せ台底部の予備苗受け部を、所定の左右間隔を有して前後方向に連続する線材またはパイプ材で形成したことを第２の特徴としている。
【発明の効果】
【０００５】
請求項１の発明によれば、予備苗載せ台の予備苗載置面に、所定の左右間隔を有して前後方向に連続するリブを形成したことによって、前記予備苗載せ台の予備苗載置面に対する予備苗（マット苗）の床土部分の摺接抵抗（滑り抵抗）を軽減させることができるので、当該予備苗は、その形態を崩すことなく予備苗載せ台上をスムーズに移動し、且つ従来の苗箱または苗スクレーパを溜め置きする収納部や、該収納部を畦際へ移送するための移送手段が不要となって、走行機体の省スペース化とコストの低減が図れる。
また、請求項２の発明によれば、予備苗載せ台底部の予備苗受け部を、所定の左右間隔を有して前後方向に連続する線材またはパイプ材で形成したことによって、予備苗載せ台底部おける予備苗の載置面積、即ち予備苗受け部における予備苗の床土部分の摺接面積が大幅に減少し、その摺接抵抗（滑り抵抗）を軽減させることができるで、当該予備苗の形態を崩すことなく予備苗載せ台上をスムーズに移動できるようになる。
【発明を実施するための最良の形態】
【０００６】
次に、本発明の実施形態を図面に基づいて説明する。図１及び図２は、移植機の一例である乗用型田植機１の側面図と平面図であって、この乗用型田植機１は、左右一対の前輪２及び後輪３に支持された走行機体４を有し、その左右一側（本実施例では左側）には、走行機体４の前方から後部に亘って延設される折畳み式の予備苗載せ台５を配設すると共に、他側（右側）には、上下に多段の予備苗台６を備える予備苗載せ台７を設けている。
【０００７】
そして、走行機体４の前側には、ボンネット８で覆われた図示しないエンジンを搭載すると共に、ボンネット８の後方には、ステアリングホイール９、運転操作パネル１１、及び主変速レバー１２等を備えた操縦部１３と、この操縦部１３の床面を形成するステップ１４、座席１５を支持する機体カバー１６を設けている。尚、機体カバー１６には、座席１５後方の左右両側に、前記ステップ１４より一段高い平坦な苗供給用スッテプ１６ａ，１６ａを形成している。
【０００８】
また、走行機体４の後方には、昇降リンク機構１７を介して植付作業機１８を昇降自在に連結している。植付作業機１８は、前高後低状に傾斜して設けた苗載せ台１９と、該苗載せ台１９から苗を掻取って植え付ける複数の植付杆２１を備えた移植装置２２と、この移植装置２２の下方には、植付け田面を整地するフロート２３等を設けているが、これらの基本的な構成は何れも従来通りであり詳細な説明を省略する。
【０００９】
そして、ボンネット８の左右両側に形成されているフロントステップ２４の左側下方には、走行機体４から外側方に延出させて２本の支柱２５ｆ，２５ｒを立ち上げると共に、図３に示すように、両支柱２５ｆ，２５ｒの上端に前高後低状に固設したステー２６に折畳み式の予備苗載せ台５を構成する固定苗台５ａを螺設している。
【００１０】
この固定苗台５ａの前側及び後側には、該固定苗台５ａに対して回動可能な第１可動苗台５ｂと第２可動苗台５ｃとを連結してあり、予備苗載せ台５は、図１に示すように、第２可動苗台５ｃと第１可動苗台５ｂが固定苗台５ａの上方に折畳まれた格納姿勢状態と、図２及び図４に示すように、各苗台５ａ，５ｂ，５ｃが側面視で前高後低の略一直線状に展開される展開姿勢状態とに姿勢変更できるようになっている。
【００１１】
尚、予備苗載せ台５が上述したように展開姿勢状態にある時は、第１可動苗台５ｂは、ボンネット８より高い位置に展開して走行機体４の前端から大きく突出するので、圃場面からの段差が大きい畦際の道路や畦等から当該予備苗載せ台５へ予備苗（マット苗）Ｎを補給する際の作業性がよい。また、第２可動苗台５ｃの終端は、苗供給用スッテプ１６ａ，１６ａの上方近傍に位置するので、第２可動苗台５ｃから苗載せ台１９への予備苗の供給がスムーズに行える。
【００１２】
また、予備苗載せ台５を構成する固定苗台５ａ、第１可動苗台５ｂ、及び第２可動苗台５ｃは、図３に例示するように、軽量部材であるアルミ合金製の左右の外枠３１，３１、またはポリアミド（ナイロン）等の熱可塑性樹脂を用いて射出成形した左右の外枠３１，３１の間に、苗箱や苗スクレーパを用いることなく長方形の予備苗Ｎを直接長手方向に載置した状態で移動（搬送）させるために、ポリプロピレン等の熱可塑性樹脂を用いて所定幅に射出成形した底板３２を装着している。即ち、各苗台５ａ，５ｂ，５ｃを構成する前記左右の外枠３１，３１により予備苗Ｎの左右への脱落防止枠を形成すると共に、底板３２の上面側に予備苗載置面Ｓを形成している。
【００１３】
更に詳しくは、固定苗台５ａ、第１可動苗台５ｂ、及び第２可動苗台５ｃの予備苗載置面Ｓには、所定の左右間隔を有して走行機体４の前後方向に連続するリブＬを形成してあり、このリブＬによって、予備苗載せ台５を構成する各苗台５ａ，５ｂ，５ｃの予備苗載置面Ｓに対する予備苗Ｎの床土部分の摺接抵抗（滑り抵抗）を軽減させることができるので、当該予備苗Ｎは、その形態を崩すことなく予備苗載せ台５上をスムーズに移動し、且つ従来の苗箱または苗スクレーパを溜め置きする収納部や、該収納部を畦際へ移送するための移送手段等が不要となって、走行機体４の省スペース化とコストの低減が図れる。
【００１４】
また、予備苗載せ台５を構成する固定苗台５ａ、第１可動苗台５ｂ、及び第２可動苗台５ｃの底板３２の上面側（予備苗載置面Ｓ）に形成したリブＬに換えて、図５に示すように、当該底板３２に相当する予備苗載せ台５底部の予備苗受け部Ｕを、所定の左右間隔を有して走行機体４の前後方向に連続する線材またはパイプ材Ｐを用いて形成してもよく、この場合は、予備苗載せ台５の予備苗載置面積、即ち予備苗載せ台５に対する予備苗Ｎの床土部分の摺接面積が大幅に減少し、その摺接抵抗（滑り抵抗）を軽減させることができるで、当該予備苗Ｎの形態を崩すことなく予備苗載せ台５上をスムーズに移動できるようになる。
【図面の簡単な説明】
【００１５】
【図１】予備苗載せ台を折畳んだ状態の乗用型田植機の側面図。
【図２】予備苗載せ台を展開した状態の乗用型田植機の平面図。
【図３】固定苗台の装着構成を示す一部省略背面図。
【図４】予備苗載せ台を展開した状態の乗用型田植機の側面図。
【図５】予備苗載せ台を展開した状態の乗用型田植機の平面図（第２実施例）。
【符号の説明】
【００１６】
４    走行機体
５    予備苗載せ台
１８  植付作業機
Ｌ    リブ
Ｎ    予備苗
Ｐ    パイプ材（線材）
Ｓ    予備苗載置面
Ｕ    予備苗受け部
【図１】
2008136441.tif 000003
【図２】
2008136441.tif 000004
【図３】
2008136441.tif 000005
【図４】
2008136441.tif 000006
【図５】
2008136441.tif 000007